(57)【要約】【課題】マルチトラックレコーダ装置において、効率的にステレオ録音を行う。【解決手段】マルチトラックレコーダ装置は、入力端子１０から入力された音声信号をそれぞれ記憶媒体２２の異なるトラックに記録するマルチトラック録音を行うと同時に、各音声信号をミックスダウンしてステレオ信号を生成してさらに異なるトラックに記録するステレオ録音を実行する。マルチ録音ファイルとステレオ録音ファイルは別個に作成され、ステレオ録音のみが必要な場合にはステレオ録音ファイルのみを読み出して再生する。【選択図】図１
2011060366.tif 000002
【特許請求の範囲】
【請求項１】
マルチトラックレコーダ装置であって、
複数の入力端子から入力された音声信号を記憶媒体のそれぞれ異なるトラックに記録するマルチトラック録音手段と、
前記マルチトラック録音手段による録音と並行して、前記複数の入力端子から入力された音声信号をミキシングしてステレオ信号を生成し、さらに異なるトラックに記録するステレオ録音手段と、
を有することを特徴とするマルチトラックレコーダ装置。
【請求項２】
請求項１記載の装置において、
前記ステレオ録音手段による録音で作成される音楽ファイルは、前記マルチトラック録音手段による録音で作成される音楽ファイルとは別個のファイルとして作成されることを特徴とするマルチトラックレコーダ装置。
【請求項３】
請求項２記載の装置において、
前記マルチトラック録音手段による録音で作成される音楽ファイルは、前記ステレオ録音手段による録音で作成される音楽ファイルのバックアップファイルであることを特徴とするマルチトラックレコーダ装置。
【発明の詳細な説明】
【技術分野】
【０００１】
本発明は、複数の入力端子から入力される音声信号をそれぞれ異なるトラックに録音する機能を備えたマルチトラックレコーダ装置に関する。
【背景技術】
【０００２】
従来より、複数の入力端子から入力される音声信号をそれぞれ異なるトラックに録音するマルチトラック録音や、複数の入力端子から入力される音声信号をミキシングして録音するミキシング録音、あるいは録音したトラックを再生して２トラックにミックスダウンしてステレオ録音する技術が知られている。例えば、音楽の制作現場において、楽曲を構成するドラムやベース、ギター等の各楽器の音を、それぞれ異なるトラックに録音し、制作者（ミキシングエンジニア）が全体のバランスを考慮しながら各楽曲の音量バランスを調整し、最終的に２チャンネルステレオの楽曲を作成する等である。ミキシング作業においては、エコーやリバーブ等のエフェクト処理も必要に応じて行われる。下記の特許文献１には、複数の音声信号入力手段から入力された音声信号をミキシングし、ミキシングした音声信号をデータ圧縮して記録する技術が開示されている。
【０００３】
また、特許文献２には、少なくとも、未録音の媒体又は消去後の媒体に最初に録音を行う作業と、録音済みトラックを再生モニタしつつ別のトラックに新たな入力信号を録音する作業と、録音済みトラックをそのまま、あるいは新たな入力信号とミキシングして別トラックに録音する作業と、録音済みトラックをある区間だけ部分的に録音し直す作業と、録音済みトラックに録音された信号をそのまま、あるいはミキシングして出力する作業とを含む各種作業形態に応じて、ミキサとレコーダの接続状態を自動設定する技術が開示されている。
【０００４】
さらに、特許文献３には、ピンポン録音のミックスダウン作業のやり直し時に、全ての音楽パートをモニタしながらミックスダウン作業を行えるようにする技術が開示されている。
【先行技術文献】
【特許文献】
【０００５】
【特許文献１】特開平０８−１２４２９６号公報
【特許文献２】特許第２５６０４９６号
【特許文献３】特許第４００３４１９号
【発明の概要】
【発明が解決しようとする課題】
【０００６】
マルチトラック録音された音声信号を再生してミックスダウンする場合、マルチトラック録音工程とミックスダウン工程という二つの工程を経ることとなり、作業が煩雑となる。ユーザが本来的に必要なのがステレオ録音である場合、マルチトラック録音は必要でないにもかかわらずマルチトラック録音を実行し、これを再生した後でなければ所望のステレオ録音が得られない問題がある。
【０００７】
本発明は、ステレオ録音が迅速に得られるとともに、ステレオ録音に何らかの不具合が生じた場合においても、再度録音する必要がなく所望のステレオ録音を得ることができる装置を提供することにある。
【課題を解決するための手段】
【０００８】
本発明は、マルチトラックレコーダ装置であって、複数の入力端子から入力された音声信号を記憶媒体のそれぞれ異なるトラックに記録するマルチトラック録音手段と、前記マルチトラック録音手段による録音と並行して、前記複数の入力端子から入力された音声信号をミキシングしてステレオ信号を生成し、さらに異なるトラックに記録するステレオ録音手段とを有することを特徴とする。
【０００９】
本発明の１つの実施形態では、前記ステレオ録音手段による録音で作成される音楽ファイルは、前記マルチトラック録音手段による録音で作成される音楽ファイルとは別個のファイルとして作成される。
【００１０】
また、本発明の１つの実施形態では、前記マルチトラック録音手段による録音で作成される音楽ファイルは、前記ステレオ録音手段による録音で作成される音楽ファイルのバックアップファイルとして機能する。
【発明の効果】
【００１１】
本発明によれば、ステレオ録音が迅速に得られる。また、ステレオ録音に何らかの不具合が生じた場合においても、再度録音する必要がなく所望のステレオ録音を得ることができる。
【図面の簡単な説明】
【００１２】
【図１】実施形態の構成ブロック図である。
【図２】他の実施形態のレコードトラックのファイル説明図である。
【発明を実施するための形態】
【００１３】
以下、図面に基づき本発明の実施形態ついて説明する。
【００１４】
図１に、本実施形態におけるマルチトラックレコーダ装置の構成ブロック図を示す。本実施形態のマルチトラックレコーダ装置は、複数の入力端子から入力される音声信号をそれぞれ異なるトラックに録音するマルチトラック録音と、複数の入力端子から入力される音声信号をミキシング（ミックスダウン）してＬＲチャンネルトラックに録音するステレオ録音とを同時並行して行うものである。
【００１５】
すなわち、従来のマルチトラックレコーダ装置では、複数の入力端子から入力される音声信号のステレオ録音を行う場合は、複数の入力端子から入力される音声信号を、一旦、それぞれ異なるトラックに録音し、その後に、録音した全てのトラック又は所望のトラックから音声信号を再生してミックスダウンしてＬＲチャンネルトラックに録音するという工程を経るが、本実施形態におけるマルチトラックレコーダ装置は、マルチトラック録音とステレオ録音とを同時に行うものである。
【００１６】
図１において、マルチトラックレコーダ装置には複数の入力端子１０が設けられており、入力端子１０のそれぞれから音声信号が入力される。例えば、楽曲を構成する各楽器の音声信号がそれぞれ異なる入力端子１０から入力される。図において、入力端子１０は合計８個示されているが、もちろんこの数は任意に設定することができる。各入力端子１０から供給された音声信号は、信号処理回路１２に供給される。
【００１７】
信号処理回路１２は、トリム器及びＡ／Ｄコンバータを備え、トリム器にて入力音量を調整するととともに、Ａ／Ｄで入力アナログ音声信号をデジタル信号に変換して出力する。
【００１８】
各入力端子１０からのデジタル信号は、それぞれ２つの系統に分岐して供給される。第１の系統はモノラルバス１４に至る系統であり、第２の系統はステレオバス１６に至る系統である。モノラルバス１４は、録音スイッチ１８を介して記録媒体２２に接続される。ユーザが録音スイッチ１８をＯＮ操作すると、各入力端子１０からのデジタル信号は記憶媒体２２の各トラックに記録される。もちろん、デジタル信号を記録する際にはエンコード処理してもよく、さらに圧縮処理をしてもよい。各入力端子１０からのデジタル信号は、記録媒体２２の異なるトラックにそれぞれ記録される（マルチトラック録音）。記録媒体２２はハードディスクやコンパクトフラッシュ（登録商標）メモリであり、デジタル信号はファイル形式でそれぞれのトラックに記録される。例えば、第１トラックには＜ＳｏｎｇＮａｍｅ＞＿０１．ｗａｖなるファイルが作成され、第２トラックには＜ＳｏｎｇＮａｍｅ＞＿０２．ｗａｖなるファイルが作成され、第３トラックには＜ＳｏｎｇＮａｍｅ＞＿０３．ｗａｖなるファイルが作成される。以下同様にして、第８トラックには＜ＳｏｎｇＮａｍｅ＞＿０８．ｗａｖなるファイルが作成される。以上のようにして、記憶媒体２２には、マルチトラック録音の結果として、第１トラック〜第８トラックのそれぞれに音楽ファイルが記録される。
【００１９】
一方、ステレオバス１６に至る系統は、レベル器及びパン器を介してステレオバス１６に接続される。レベル器及びパン器はユーザ操作可能であり、それぞれデジタル信号のレベル調整及び左右のバランス調整を行う。各入力端子１０からのデジタル信号は、全てステレオバス１６に供給される。ステレオバス１６には、マスタレベル器及びステレオ録音スイッチ２０が設けられる。ユーザが、ステレオ録音スイッチ２０をＯＮ操作すると、各音声信号がミックスダウンされて記憶媒体２２の別トラックに記録される。ステレオ録音のトラックは、マルチトラック録音の各トラックとは異なるトラックであり、ここにステレオ録音の音楽ファイルが＜ＳｏｎｇＮａｍｅ＞＿ＳＴ．ｗａｖとして記録される。ファイル名の「ＳＴ」は、このファイルがステレオ録音されたことを示すものである。＜Ｓｏｎｇｎａｍｅ＞はユーザが自分で入力するが、それ以外のファイル番号やＳＴ，識別子はマルチトラックレコーダ装置が自動で付与する。
【００２０】
以上のようにして、マルチトラック録音スイッチ１８とステレオ録音スイッチ２０をともにＯＮ操作すると、マルチトラック録音とステレオ録音が同時に実行され、記録媒体２２には各トラック毎の音楽ファイルと、ステレオ録音の音楽ファイルが別個に作成されて記録される。
【００２１】
なお、ミックスダウンして得られるステレオ信号は、さらに、Ｄ／Ａコンバータでアナログ音声信号に変換された後に、スピーカ２８や出力端子ＬＲ３０から出力される。
【００２２】
マルチトラック録音に関しては、各トラック毎に音楽ファイルを作成するのではなく、第１トラックから第８トラック分をまとめて１つのファイルとして作成することもできる。図２に、この場合のファイル構成を示す。マルチトラック録音の各トラックが１つのファイルとして作成されており、このファイルとは別にステレオ録音ファイルが作成される。
【００２３】
マルチトラック録音のファイルとステレオ録音ファイルは別々に作成されるため、マルチトラック録音ファイルとステレオ録音ファイルとをそれぞれ別の種類の記憶媒体２２に記録してもよい。例えば、マルチトラック録音ファイルをハードディスクに格納すると共に、ステレオ録音ファイルをコンパクトフラッシュ（登録商標）メモリに格納してもよい。
【００２４】
このように、本実施形態の装置では、マルチトラック録音とステレオ録音とが同時に実行され、マルチトラック録音ファイルとステレオ録音ファイルとが別個に作成されるため、ユーザはステレオ録音ファイルが必要な場合には、既に作成されているステレオ録音ファイルのみを読み出して再生すればよく、従来のようにマルチトラック録音を再生し、その後、ミックスダウンしてステレオ録音を作成する必要がなくなる。また、ステレオ録音ファイルを読み出して再生した結果、その録音に満足できない場合には、マルチトラック録音ファイルも存在しているため、ユーザはこのマルチトラック録音ファイルを再生してミックスダウンすることで改めてステレオ録音を行うことができる。すなわち、本実施形態において、マルチトラック録音の音楽ファイルはステレオ録音のバックアップファイルとして機能し得る。
【００２５】
本実施形態におけるマルチ録音スイッチ１８とステレオ録音スイッチ２０は別個のスイッチとして示されているが、これらのスイッチが互いに連動していてもよい。すなわち、マルチ録音スイッチ１８がＯＮ操作された場合には、これに連動してステレオ録音スイッチ２０も自動的にＯＮするようにしてもよく、これによりマルチトラック録音する場合には常に同時にステレオ録音されるようになる。もちろん、マルチ録音スイッチ１８とステレオ録音スイッチ２０が互いに独立にＯＮ／ＯＦＦ操作可能であってもよい。
【符号の説明】
【００２６】
１０  入力端子、１２  音声信号処理回路、１４  モノラルバス、１６  ステレオバス、１８  マルチトラック録音スイッチ、２０  ステレオ録音スイッチ、２２  記憶媒体、２８  スピーカ、３０  出力端子。
【図１】
2011060366.tif 000003
【図２】
2011060366.tif 000004